(57)【要約】基地局（１）と移動端末（１１）とを有する通信システムが、基地局（１）と移動端末（１１）との間の通信に使用されるチャンネルを規定する直交可変拡散率コード、即ちＯＶＦＳコードのようなチャネライゼーションコードを発生すると共に、これらチャネライゼーションコードの費用関数を計算する。基地局（１）には、進行中の通話を第１チャネライゼーションコードにより規定される第１チャンネルから第２チャネライゼーションコードにより規定される第２チャンネルへ計算された費用関数に依存して移転して、チャンネルを進行中の通話に動的に割り付けることにより、進行中の通話を動的に扱うことができるようにする移転器（７）が設けられている。上記移転は、移転メッセージにより実現される。好ましくは、処理容量を低減するために、少ない複雑さの費用関数は、占有パラメータと少なくとも特定のレベルに対するデータレートとの積の和の、隣接するレベルに対するデータレートにより除算された関数とする。
2005522127.tif 000002
【特許請求の範囲】
【請求項１】
基地局及び移動端末を有する通信システムであって、前記基地局が該基地局と移動端末との間の通信に使用するチャンネルを規定するようなチャネライゼーションコードを発生する発生器を有し、前記基地局がチャネライゼーションコードに関する費用関数を計算する計算器を有するような通信システムにおいて、
前記基地局は、該基地局と移動端末との間の進行中の通話を第１チャネライゼーションコードにより規定される第１チャンネルから第２チャネライゼーションコードにより規定される第２チャンネルへ少なくとも１つの計算された費用関数に依存して移転させる移転器を有していることを特徴とする通信システム。
【請求項２】
請求項１に記載の通信システムにおいて、前記基地局は、前記移動端末に対するものであって古いチャネライゼーションコード及び新たなチャネライゼーションコードを有するような移転メッセージを送信する送信器を有することを特徴とする通信システム。
【請求項３】
請求項２に記載の通信システムにおいて、前記移動端末は前記移転メッセージを受信する受信器を有していることを特徴とする通信システム。
【請求項４】
請求項１に記載の通信システムにおいて、前記費用関数は、占有パラメータと少なくとも特定のレベルに対するデータレートとの積の和の、隣接するレベルに対するデータレートにより除算された関数であることを特徴とする通信システム。
【請求項５】
請求項４に記載の通信システムにおいて、レイヤｉにおけるコードｃに対する前記費用関数が、COST = 1 -［Σu(x)r(x) / ri-1 ］であり、ここで、r(x)はコードｘが属するレイヤのデータレートであり、u(x)はｘが空きなら０に等しく、ｘが占有されているなら１に等しく、ri-1はレイヤi-1のデータレートであることを特徴とする通信システム。
【請求項６】
基地局及び移動端末を有する通信システムに使用する基地局であって、前記基地局が該基地局と移動端末との間の通信に使用するチャンネルを規定するようなチャネライゼーションコードを発生する発生器を有し、前記基地局がチャネライゼーションコードに関する費用関数を計算する計算器を有するような基地局において、
前記基地局は、該基地局と移動端末との間の進行中の通話を第１チャネライゼーションコードにより規定される第１チャンネルから第２チャネライゼーションコードにより規定される第２チャンネルへ移転させる移転器を有していることを特徴とする基地局。
【請求項７】
基地局及び移動端末を有する通信システムに使用する移動端末であって、前記基地局が該基地局と移動端末との間の通信に使用するチャンネルを規定するようなチャネライゼーションコードを発生する発生器を有し、前記基地局がチャネライゼーションコードに関する費用関数を計算する計算器を有するような移動端末において、
前記基地局が、該基地局と移動端末との間の進行中の通話を第１チャネライゼーションコードにより規定される第１チャンネルから第２チャネライゼーションコードにより規定される第２チャンネルへ移転させる移転器を有していることを特徴とする移動端末。
【請求項８】
基地局及び移動端末を有する通信システムに使用する方法であって、前記基地局が該基地局と移動端末との間の通信に使用するチャンネルを規定するようなチャネライゼーションコードを発生する発生器を有し、前記基地局がチャネライゼーションコードに関する費用関数を計算する計算器を有するような方法において、
該方法は、前記基地局と移動端末との間の進行中の通話を第１チャネライゼーションコードにより規定される第１チャンネルから第２チャネライゼーションコードにより規定される第２チャンネルへ移転させるステップを有していることを特徴とする方法。
【請求項９】
基地局及び移動端末を有する通信システムに使用するプロセッサ用プログラム製品であって、前記基地局が該基地局と移動端末との間の通信に使用するチャンネルを規定するようなチャネライゼーションコードを発生する発生器を有し、前記基地局がチャネライゼーションコードに関する費用関数を計算する計算器を有するようなプロセッサ用プログラム製品において、
前記プロセッサ用プログラム製品は、該基地局と移動端末との間の進行中の通話を第１チャネライゼーションコードにより規定される第１チャンネルから第２チャネライゼーションコードにより規定される第２チャンネルへ移転させる機能を有していることを特徴とするプロセッサ用プログラム製品。
【発明の詳細な説明】
【技術分野】
【０００１】
本発明は、基地局と移動端末とを有する通信システムであって、上記基地局が該基地局と移動端末との間の通信に使用されるチャンネルを規定するようなチャネライゼーションコードを発生する発生器を有し、該基地局がチャネライゼーションコードに関する費用関数を計算する計算部を有しているような通信システムに関する。
【０００２】
また、本発明は、基地局と移動端末とを有する通信システムに使用する基地局であって、上記基地局が該基地局と移動端末との間の通信に使用されるチャンネルを規定するようなチャネライゼーションコードを発生する発生器を有し、該基地局がチャネライゼーションコードに関する費用関数を計算する計算部を有しているような基地局に関する。また、本発明は、基地局と移動端末とを有する通信システムに使用する移動端末であって、上記基地局が該基地局と移動端末との間の通信に使用されるチャンネルを規定するようなチャネライゼーションコードを発生する発生器を有し、該基地局がチャネライゼーションコードに関する費用関数を計算する計算部を有しているような移動端末に関する。また、本発明は、基地局と移動端末とを有する通信システムに使用する方法であって、上記基地局が該基地局と移動端末との間の通信に使用されるチャンネルを規定するようなチャネライゼーションコードを発生する発生器を有し、該基地局がチャネライゼーションコードに関する費用関数を計算する計算部を有しているような方法に関する。また、本発明は、基地局と移動端末とを有する通信システムに使用するプロセッサ用プログラム製品であって、上記基地局が該基地局と移動端末との間の通信に使用されるチャンネルを規定するようなチャネライゼーションコードを発生する発生器を有し、該基地局がチャネライゼーションコードに関する費用関数を計算する計算部を有しているようなプロセッサ用プログラム製品に関する。
【背景技術】
【０００３】
このような通信システムは、例えば、国際移動通信システム２０００（即ち、IMT-2000）のようなコード分割多重アクセスシステム（即ち、ＣＤＭＡ）であり、該システムはチャネライゼーションコードとして直交可変拡散率コード（即ち、ＯＶＳＦコード）を使用している。
【０００４】
従来の通信システムは、中国、710049、Xi’an、Xi’an Jiaotong
University、School of Electronics and Information EngineeringのCHENG Jiang、ZHU Shi-hua及びDANG An-hongにより書かれた文献「広帯域コード分割多重アクセス通信システムにおける動的コード割り付けに関する研究」から既知である。この文献はＯＶＳＦコードを記載し、複雑な費用関数を規定し、コード割り付け及びチャンネル割り付けに関する更なる数学的背景を記載している。
【０００５】
一般的に、ＯＶＳＦコードは、アダマール符号化に使用されるステップに類似した構築ステップを介してコードツリーを用いて発生される。即ち、第１レイヤには、１つの第１コードが存在し、第２レイヤには、各々が第２コードを有すると共に上記第１の１つのコードから生じた２つのブランチが存在し、ここで、上側のブランチは自身により繰り返された上記第１の１つのコードからなる第２コードを有し、下側のブランチは自身の否定により繰り返された上記第１の１つのコードからなる第２コードを有し、等々となる。従って、第３レイヤは４つの第３コードを有し、第４レイヤは８個の第４コードを有し、等々となる。これらコードの全てが直交しているのではないので、特定のブランチの特定のコードが使用されると、この特定のブランチから生じた全てのブランチにおける全てのコードは、上記特定のコードが例えば進行中の通話が終了されることにより再び空きとなるまで、最早使用することができない。コードの長さ（第１コードは１シンボルの長さを有し、第２コードは２シンボルの長さを有し、第３コードは４シンボルの長さを有し、第４コードは８シンボルの長さを有し、等々である）は、チャンネルのデータレートと相互に作用し合う。例えば、４シンボルのコード長においては、データレートは例えば２Mbit/sであり得る一方、５１２シンボルのコード長においては、データレートは例えば１６kbit/sであり得る。
【０００６】
予め規定されたデータレートに対してセットアップされるべき新たな通話を要求するセットアップメッセージが上記基地局に到達すると、この予め規定されたデータレートは、この新たな通話に必要とされる新たなコードの最大コード長を規定し、次いで、上述した文献に記載された複雑な費用関数が、トラフィックの需要、最小の干渉及びコンパクトな割り付けに鑑み、選択されるべき最良の新コードを計算し、これにより他の通話に既に使用された古いコードを考慮に入れる。
【発明の開示】
【発明が解決しようとする課題】
【０００７】
上記既知の通信システムは、なかでも、進行中の通話を統計的に扱うために不利である。
【０００８】
本発明の目的は、とりわけ、請求項の前置部に記載するような通信システムであって、進行中の通話を一層動的に扱う通信システムを提供することにある。
【課題を解決するための手段】
【０００９】
本発明による通信システムは、前記基地局が、該基地局と移動端末との間の進行中の通話を第１チャネライゼーションコードにより規定される第１チャンネルから第２チャネライゼーションコードにより規定される第２チャンネルへ少なくとも１つの計算された費用関数に依存して移転させる移転器を有していることを特徴とする。
【００１０】
上記移転器を導入することにより、進行中の通話を１以上の計算された費用関数に依存して他のチャンネルへ移転させるための一種のハンドオーバ／ハンドオフ機能が形成された。この依存性は、例えば、費用関数を互いに及び／又は閾と比較することから、及び／又は費用関数を組み合わせること等から生じる。結果として、本発明による通信システムは、進行中の通話に対してチャンネルを動的に割り付けることにより、進行中の通話を動的に扱う。進行中の通話に対してチャンネルを静的に割り付ける（１つの通話は、該通話が完了されるまで全期間にわたり同一のチャンネルを維持する）ことにより進行中の通話を静的に扱う従来の通信システムと比較して、本発明による通信システムは一層効率的に動作する（各通話は、コードの最適使用に対応するチャンネルを使用し、進行中の通話の間にチャンネル変更が可能である）。
【００１１】
本発明は、とりわけ、通信システムの効率が新たな通話に対するコード／チャンネルの割り付けのみに依存するものではなく、斯かる効率は進行中の通話に対するコード／チャンネルの再割り付けにも依存するという洞察に基づくものであり、更に、とりわけ、費用関数は、新たな通話に対してコード／チャンネルを効率的に割り付けることに加えて、進行中の通話に対してコード／チャンネルを効率的に再割り付けするためにも使用することができるという基本概念に基づくものである。
【００１２】
本発明は、とりわけ、前置部に記載した通信システムであって、進行中の通話を一層動的に扱うことができるような通信システムを提供するという課題を解決するもので、なかでも、該通信システムの効率が改善されたという点で有利である。
【００１３】
請求項２に記載された本発明による通信システムの第１実施例は、前記基地局が、前記移動端末に対して、古いチャネライゼーションコード及び新たなチャネライゼーションコードを有する、移転メッセージを送信する送信器（sender）を有する点で有利である。
【００１４】
上記送信器を導入することにより、上記移転メッセージは、古いチャンネルを規定する上記古いチャネライゼーションコード及び新チャンネルを規定する上記新たなチャネライゼーションコードを伴って、例えばデータリンクを介して又は制御リンクを介して上記移動端末に送信される。
【００１５】
請求項３に記載された本発明による通信システムの第２実施例は、上記移動端末が上記移転メッセージを受信する受信器を有する点で有利である。
【００１６】
該受信器を導入することにより、前記移転メッセージは例えばデータリンクを介して又は制御リンクを介して上記移動端末により受信される。
【００１７】
請求項４に記載の本発明による通信システムの第３実施例は、前記費用関数が占有パラメータと少なくとも特定のレベルに対するデータレートと積の和であって、隣接するレベルに対するデータレートにより除算された関数である点で有利である。
【００１８】
この費用関数は、既知の費用関数より複雑ではなく、処理容量を大幅に低減する。
【００１９】
請求項５に記載の本発明による通信システムの第４実施例は、レイヤｉにおけるコードｃに対する上記費用関数がＣＯＳＴ＝１−［Σu(x)r(x)/ri-1］に等しく、ここで、r(x)はコードｘが属するレイヤのデータレートであり、u(x)はｘが空きである場合には０に等しく、ｘが占有されている場合に１に等しく、ri-1はレイヤi-1のデータレートである。
【００２０】
この費用関数は、複雑さが最も少なく、実施が容易であり、これにより少ない処理容量しか必要としない。
【００２１】
上記第３及び第４実施例は必ずしも前記移転器との組合せで使用されるものに限定されることはなく、本発明による該費用関数は、進行中の通話が静的にのみ扱われる、及び該費用関数がセットアップされるべき新たな通話用の新たなコードを選択するためにのみ使用されるような静的状況においては単独で使用することもできる。
【００２２】
本発明による基地局の実施例、本発明による移動端末の実施例、本発明による方法の実施例及び本発明によるプロセッサ用プログラム製品の実施例も、本発明による上記通信システムの実施例に対応する。
【００２３】
本発明の、これら及び他の態様は、以下に記載される実施例から明らかとなり、斯かる実施例を参照して解説されるであろう。
【発明を実施するための最良の形態】
【００２４】
図１は、コントローラ２を有する基地局１を示し、該コントローラ２は直接に、発生器６を介して及び移転器７を介して送信器３に結合され、該移転器７は更に上記発生器６に結合されている。送信器３はインターフェース４に結合され、該インターフェース４は上記コントローラ２に、アンテナに及び受信器５に更に結合されている。受信器５は直接に及び検出器８を介してコントローラ２に結合されている。基地局１は、更に計算器９を有している。移動端末１１はコントローラ１２を有し、該コントローラは直接に及び発生器１６を介して間接的に送信器１３に結合されている。送信器１３はインターフェース１４に結合され、該インターフェースは更に上記コントローラ１２に、アンテナに及び受信器１５に結合されている。受信器１５は直接に及び検出器１７を介して前記コントローラ１２に結合されている。両アンテナはチャンネル１０を介しての無線通信用に設計されている。
【００２５】
従来の通信システムは基地局１と移動端末１１とを有し、基地局１は該基地局１と上記移動端末１１との間の通信に使用されるチャンネルを規定するようなチャネライゼーションコードを発生する発生器６を有し、更に基地局１はチャネライゼーションコードに対する費用関数を計算する計算器９を有している。上記チャネライゼーションコードは例えば直交可変拡散率コード、即ちＯＶＳＦコードであり、斯かるＯＶＳＦコードは複雑な費用関数並びにコード割り付け及びチャンネル割り付けに関する更なる数学的背景と共に、前述した文献「広帯域コード分割多重アクセス通信システムにおける動的コード割り付けに関する研究」に記載されている。
【００２６】
一般的に、ＯＶＳＦコードは、アダマール符号化に使用されるステップに類似した構築ステップを介してコードツリーを用いて発生される。即ち、第１レイヤには、１つの第１コードが存在し、第２レイヤには、各々が第２コードを有すると共に上記第１の１つのコードから生じた２つのブランチが存在し、ここで、上側のブランチは自身により繰り返された上記第１の１つのコードからなる第２コードを有し、下側のブランチは自身の否定により繰り返された上記第１の１つのコードからなる第２コードを有し、等々となる。従って、第３レイヤは４つの第３コードを有し、第４レイヤは８個の第４コードを有し、等々となる。これらコードの全てが直交しているのではないので、特定のブランチの特定のコードが使用されると、この特定のブランチから生じた全てのブランチにおける全てのコードは、上記特定のコードが例えば進行中の通話が終了されることにより再び空きとなるまで、最早使用することができない。コードの長さ（第１コードは１シンボルの長さを有し、第２コードは２シンボルの長さを有し、第３コードは４シンボルの長さを有し、第４コードは８シンボルの長さを有し、等々である）は、チャンネルのデータレートと相互に作用し合う。例えば、４シンボルのコード長においては、データレートは例えば２Mbit/sであり得る一方、５１２シンボルのコード長においては、データレートは例えば１６kbit/sであり得る。
【００２７】
もっと実際的な例では、第１レイヤには、１つの第１コードＣ1(1)＝１が存在する。第２レイヤには、２つの第２コードＣ2(1)＝(1,1)及びＣ2(2)＝(1,-1)が存在する。第３レイヤには、４つの第３コードＣ3(1)＝(1,1,1,1)、Ｃ3(2)＝(1,1,-1,-1)、Ｃ3(3)＝(1,-1,1,-1)及びＣ3(4)＝(1,-1,-1,1)が存在し、等々となる。６以上のレイヤが存在し、コードＣ4(1)、Ｃ8(5)及びＣ16(12)が既に使用されている場合、第５レイヤに対応するデータレートでセットアップされるべき新たな通話の要求に対しては、この第５レイヤにおいて依然として利用可能なコードはＣ16(5)−Ｃ16(8)、Ｃ16(11)及びＣ16(13)−Ｃ16(16)のみである。
【００２８】
所定のデータレートにセットアップされるべき新たな通話を要求する、移動端末１１から発生したセットアップメッセージが上記基地局１に到達すると、この所定のデータレートは、この新たな通話に要する新たなコードに対する最大コード長を規定し、次いで、前記文献に記載された複雑な費用関数が、トラフィック需要、最小の干渉及びコンパクトな課題に鑑みて選択されるべき最良の新コードを計算し、これにより他の通話に既に使用されている古いコードを考慮に入れる。前記実際的な例においては、上記の複雑な費用関数は通常は、セットアップされるべき上記新たな通話に対しては、この第５レイヤにおいて依然として空いている全ての他のコードが上記第４レイヤにおける一層多くのコードが阻止されるようにさせるので（Ｃ8(6)は、Ｃ16(12)が既に使用されているので既に阻止されている）、コードＣ16(11)が選択及び使用されるべきという結果となる。
【００２９】
本発明による基地局１は、該基地局１と移動端末１１との間の進行中の通話を第１チャネライゼーションコードにより規定される第１チャンネルから第２チャネライゼーションコードにより規定される第２チャンネルへ少なくとも１つの計算された費用関数に依存して移転させる移転器７を有している。進行中の通話を１以上の計算された費用関数に依存して他のチャンネルへ移転させるための一種のハンドオーバ／ハンドオフ機能が形成されている。
【００３０】
例えば、５つの通話が進行中であり、コードC4(1), C8(5),
C16(5), C16(11)及びC16(12)により規定されたチャンネルを使用している場合、斯かる５つの通話のうちコードC16(12)により規定されたチャンネルを使用している１つが完了されると、コントローラ２は計算器９に対して他の４つの依然として進行中の通話に使用されているコードに関する及び／又は依然として利用可能な特定のコードに関する費用関数を計算するように命令する。該計算の結果は、相互に及び／又は閾と比較され、及び／又は組み合わされ、結果として、コントローラ２は、コードC16(5)により規定されたチャンネルを使用している当該進行中の通話を、このチャンネルからコードC16(12)により規定されるチャンネルに移転するほうが一層効率的であることがわかるであろう。というのは、コードC16(5)は例えばC8(3)を阻止し、これは次いで空きになるであろうし、コードC16(12)はコードC8(5)を阻止するが、該コードは既にコードC16(11)により阻止されているからである。次いで、コントローラ２は移転器７にコードC16(5)により規定されたチャンネルを使用している進行中の通話をコードC16(12)により規定されたチャンネルに移転するよう命令する。移転器７は送信器３と直接通信するか、又は発生器６を介して送信器３と間接的に通信するかの何れかを行い、結果として、移転メッセージが送信器３からインターフェース４及びチャンネル１０（データリンク又は制御リンクであり、コードC16(5)により規定される）を介して移動端末１１に送信される。この移転メッセージは、例えば、前記古いコードC16(5)及び前記新しいコードC16(12)を有する。
【００３１】
移動端末１１において、上記移転メッセージはインターフェース１４及び受信器１５を介して到達すると共に検出器１７により検出され、該検出器はコントローラ１２にチャンネル変更を実施する必要があることを通知する。これに応答して、コントローラ１２は発生器１６にコードC16(5)に代えてコードC16(12)を発生するよう命令し、かくして前記進行中の通話は該コードC16(12)により規定されるチャンネルを介して継続される。結果として、本発明による通信システムは、チャンネルを一層効率的に使用することにより効率が改善される。
【００３２】
もっと一般的には、例えば、或るコードにより規定された或るチャンネルを使用している或る進行中の通話が終了された場合、この或るコードと同一のレイヤ内の各コードの費用を費用関数により計算することができる。この或るコードが一番高い費用を有している場合は、この或るコードは空に設定され、当該処理は完了される。他の（進行中の）通話により依然として使用されているチャンネルを規定する何れかの他のコードが、より高い費用を有している場合は、ハンドオーバ／ハンドオフが生じ得、上記他の（進行中の）通話は上記他のコードにより規定されるチャンネルから上記或るコードにより規定されるチャンネルへ移転される。しかし、通常これは、上記或るコードが、上記他の（進行中の）通話により要求されるサービス品質（即ち、ＱｏＳ）に基づく拘束閾も満たす場合においてのみである。この場合、上記他のコードは空きに設定されるであろう。
【００３３】
代替的に及び／又は付加的に、コントローラ２は、セットアップされるべき新たな通話の要求に応答して、及び／又は期間の経過に応答して、及び／又は進行中の通話が他のデータレートを要求することに応答して、計算器９に対して進行中の通話に使用されているコードに関する及び／又は依然として利用可能な特定のコードに関して費用関数を計算するよう命令することもできる。
【００３４】
前記移転メッセージは制御リンク又はデータリンクを介して送信されるパケット信号とすることができ、及び／又は斯かる制御リンク又は斯かるデータリンクの一部を形成するタイムスロット（又はタイムスロットの一部）とすることができる。この場合、前記古いチャネライゼーションコードは上記パケットのヘッダの一部を形成するか、又は上記タイムスロットにおける所定の第１位置に配置され、及び／又はスクランブルの目的で多分スクランブルコードと一緒に使用される。また、この場合、上記新たなチャネライゼーションコードは上記パケットのデータ部分の一部を形成するか、又は上記タイムスロットにおける所定の第２位置に配置される。
【００３５】
一般的に、本発明による費用関数は、好ましくは、占有パラメータと少なくとも特定のレベルに対するデータレートとの積の和の、隣接するレベルに対するデータレートにより除算された関数であり、更に詳細には、レイヤｉにおけるコードｃに対して式COST = 1 -［Σu(x)r(x) / ri-1 ］により定義される。ここで、r(x)はコードｘが属するレイヤのデータレートであり、u(x)はｘが空きなら０に等しく、ｘが占有されているなら１に等しく、ri-1はレイヤi-1のデータレートである。上記Σu(x)r(x)は集合ｘ∈B(c)にわたる和であり、B(c)はブランチM(c)の全コードを含む部分集合であり、M(c)はコードｃの母コードである。この本発明による費用関数は、進行中の通話が静的にのみ使用される、及び上記費用関数がセットアップされるべき新たな通話用の新たなコードを選択するためにのみ使用されるような静的な状況において単独で使用することもできる。
【００３６】
図示され又は図示されていない各ブロックは、１００％ハードウェアであるか、１００％ソフトウェアであるか、又は両者の混合であり得る。図示され又は図示されていない各ブロックは、図示され及び／又は図示されていない他の各ブロックと統合することもできる。特に、発生器６（１６）及び／又は移転器７及び／又は検出器８（１７）は、プロセッサ／メモリにより実現可能であるので、相互に統合する及び／又はコントローラ２（１２）と統合することができる。送信器３（１３）、インターフェース４（１４）及び受信器５（１５）は、自身のプロセッサ／メモリを有するか、又はコントローラ２（１２）を使用する及び／又は斯かるコントローラにより制御され、並びにスイッチ、バッファ及びデュープレクサ等を更に有することができる。
【００３７】
本発明による方法及び本発明によるプロセッサ用プログラム製品を説明する図２のフローチャートにおいて、下記のブロックは下記のような意味を有する：
ブロック２０：進行中の通話が終了したこと及び／又は新たな通話がセットアップされる必要があることの検出に応答して、及び／又は期間の経過に応答して、及び／又は進行中の通話が他のデータレートを要求していることに応答して開始し、２１に進む；
ブロック２１：費用関数を計算し、２２に進む；
ブロック２２：上記計算された費用関数を互いに及び／又は閾と比較し、及び／又は上記計算された費用関数を組合せ、２３に進む；
ブロック２３：改善は可能か？もし可能なら、２４へ進み、可能でないなら、２５へ進む；
ブロック２４：進行中の通話を、少なくとも１つの計算された費用関数に依存して、第１チャネライゼーションコードにより規定される第１チャンネルから第２チャネライゼーションコードにより規定される第２チャンネルへ移転し、２５へ進む；
ブロック２５：停止。
【００３８】
本発明による方法は、前記基地局と移動端末との間の進行中の通話を第１チャネライゼーションコードにより規定される第１チャンネルから第２チャネライゼーションコードにより規定される第２チャンネルへ移転するようなステップを有する。また、本発明によるプロセッサ用プログラム製品は、前記基地局と移動端末との間の進行中の通話を第１チャネライゼーションコードにより規定される第１チャンネルから第２チャネライゼーションコードにより規定される第２チャンネルへ移転するような機能を有する。上記ステップ及び機能は例えば下記のようなものである。
【００３９】
第１ステップ／機能は、進行中の通話が終了したことの検出及び／又は新たな通話がセットアップされる必要があることに応答する、及び／又は期間の経過に応答する、及び／又は進行中の通話が他のデータレートを要求していることに応答する開始（ブロック２０）であって、各検出が可能性のあるサブステップ／サブ機能（２１に進む）となるようなステップ／機能を有する。次いで、第２ステップ／機能は費用関数の計算（ブロック２１）を含み、各計算は可能性のあるサブステップ／サブ機能となる（２２へ進む）。第３ステップ／機能は上記の計算された費用関数の互い同士の及び／又は閾との比較（ブロック２２）、及び／又は上記計算された費用関数の組合せを有し、各比較／組合せは可能性のあるサブステップ／サブ機能となる（２３へ進む）。第４のステップ／機能は改善が可能かのチェック（ブロック２３）を含む（肯定なら２４に進み、否定なら２５に進む）。このチェックは、例えば、進行中の通話に使用されるコードの費用関数が、依然として利用可能なコードの費用関数より大きい／小さいことの確定を含む。肯定の場合（ブロック２４）、次のステップ／機能は進行中の通話の第１チャネライゼーションコードにより規定される第１チャンネルから第２チャネライゼーションコードにより規定される第２チャンネルへの少なくとも１つの計算された費用関数に依存する移転を含む（２５へ進む）。次いで、これらステップ／機能は最後のステップ／機能（ブロック２５）により終了される。
【００４０】
勿論、例えば移転メッセージの送信及び受信、上記比較及び／又は組合せ及び／又はチェックに使用される評価規準の例えばトラフィック量及び／又は遅延時間に依存する適応化、進行中の通話の例えば緊急状況によるデータレートの低下の結果としての該進行中の通話の第１チャネライゼーションコードにより規定される第１チャンネルから第２チャネライゼーションコードにより規定される第２チャンネルへの移転、等の他のステップ／機能が排除されるべきではない。
【図面の簡単な説明】
【００４１】
【図１】図１は、本発明による基地局及び本発明による端末を有するような本発明による通信システムをブロック図として示す。
【図２】図２は、本発明による方法及び本発明によるプロセッサ用プログラム製品を説明するフローチャートを示す。
【図１】
2005522127.tif 000003
【図２】
2005522127.tif 000004
【国際調査報告】
2005522127.tif 000005
2005522127.tif 000006
2005522127.tif 000007